(57)【特許請求の範囲】
【請求項１】
貴金属指輪、貴金属ペンダント、貴金属ブレスレット等の装身具の表面に凹凸の装飾用デザインを施す場合において、これら指輪等の地金は山部および谷部を形成し、ダイヤモンドバイトはその刃は谷部である凹部に入るようにし、谷部の底の線をガイドとして谷部に沿ってダイヤモンドバイトの刃を動かして、該谷部の傾斜面をダイヤモンドバイトの刃で切削する装身具の装飾方法において、谷部の底の線をガイドとして谷部に沿ってダイヤモンドバイトの刃を動かして、該谷部の傾斜面のうち、上部の面を残して谷部の底近くの面のみをダイヤモンドバイトの刃で切削し、ダイヤモンドバイトの刃で切削した面は切削後が段になった仕上げ面であり、谷部の傾斜面のうち、切削されずに残された上部の面は鏡面としてこの段になった仕上げ面での反射を写し出すことを特徴とした装身具の装飾方法。
【発明の詳細な説明】
【技術分野】
【０００１】
本発明は、ゴールド等の貴金属指輪、貴金属ペンダント、貴金属ブレスレット等の装身具の装飾方法に関するものである。
【背景技術】
【０００２】
貴金属指輪、貴金属ペンダント、貴金属プレスレット等の装身具で指輪を例にとると、近年、ゴールド、プラチナ等の貴金属指輪で、デザインリングと称せられる装飾的指輪が人気を呼んでいる。これは、指輪の周囲に種々の凹凸形状のデザインを施したり、また、さらに宝石を埋め込んだりする。
【０００３】
一方、貴金属指輪の製造方法としては、シームレス管を輪切りにしてこれを指輪地金とする方法もあるが、前記のごとき凹凸形状のデザイン指輪の場合は、型（原型）で貴金属鋳物として型成形（キャスト）する場合が多い。このような型成形によれば、型によりデザインを実現することが可能となるので、同一形状の指輪を簡単に作ることができる。
【０００４】
しかし、前記型成形（キャスト）による凹凸形状のデザイン指輪では、その細かさには限界があり、より繊細な模様を施す場合は、カッティングの技術が使用される。カッティングには、つちとたがねを使用しての彫金の方法やロータリー刃であるダイヤモンドバイトを使用してのダイヤモンドカットの方法などがある。
【０００５】
このうち、ダイヤモンドカットの方法はたがね使用に比べて時間と手数が削減できる。しかし、従来、ダイヤモンドカットを施すには、平坦な面のものしか行われておらず、例えば、図１２に示すような平打ちと称される外周面が平面の指輪１の面にダイヤモンドバイト２によりカット溝３を形成して、このカット溝３の種々の組合せで装飾デザインを形成するようにしている。このように、ダイヤモンドカットを施す面が平らなのは、カット溝３の予定線引きが平坦でないと困難なことに起因する。
【０００６】
下記特許文献は出願人が先に特許を取得したもので、型成形（キャスト）などによる比較的大まかな凹凸形状のデザイン指輪に更に、ダイヤモンドバイトによるきめの細かなカット装飾を施して、デザイン性を向上させることができ、しかも、このダイヤモンドカットは方向を予め示されていて比較的簡単に行うことができる指輪等の装身具の装飾方法である。
【特許文献１】特公平７−５１０９１号公報
【０００７】
これは、貴金属指輪、貴金属ペンダント、貴金属ブレスレット等の装身具の表面に凹凸の装飾用デザインを施す場合において、これら指輪等の地金は山部および谷部を形成し、ダイヤモンドバイトはその刃は谷部である凹部に入るようにし、谷部の底の線をガイドとして谷部に沿ってダイヤモンドバイトの刃を動かして、該谷部の傾斜面をダイヤモンドバイトの刃で切削するものである。
【０００８】
詳細に説明すると、図１０は製作した指輪の一例を示す正面図、図６〜図９は各工程を示す縦断正面図で、図中４は、ゴールド等の貴金属製の指輪であるが、この指輪４は型成形（キャスト）などにより、指輪の地金は山部５および谷部６を形成して比較的大まかな凹凸形状のデザインを施している。なお、この凹凸形状のデザインについては、指輪４の全周でもよいし、前側の一部のみでもまたそれ以外でもよく、特に限定はない。
【０００９】
このような指輪４にダイヤモンドバイト２でダイヤモンドカットを施すが、その場合、図７に示すように前記谷部６に沿ってダイヤモンドバイト２の刃２ａを動かして、該谷部６の傾斜面６ａをダイヤモンドバイト２の刃２ａで切削するようにした。
【００１０】
図示のごとく、山部５が二つ並ぶとすると、中央の谷部６の傾斜面６ａを切削し、次いで、図８に示すように左端の谷部６の傾斜面６ａを切削し、さらに図９に示すように右端の谷部６の傾斜面６ａを切削する。なお、このような複数の谷部６が有る場合のどの谷部６を切削するかは自由に選定してよい。
【００１１】
何れの場合でも前記ダイヤモンドバイト２はその刃２ａは谷部６である凹部に入るようにし、谷部６の底の線をガイドとして刃２ａを移動させていく。このようにすれば、谷部６が曲線で連続していてもこの谷部６の底の線を目で追うことにより、勘に頼らず正確に刃２ａを動かすことができる。
【００１２】
製作された指輪４は、図１０に示すように前記図６での谷部６の傾斜面６ａにはダイヤモンドバイト２によるダイヤモンドカット面７が施され、このダイヤモンドカット面７は、刃２ａを少しずつ動かしていくので、図示のごとく切削後が段になった綺麗な仕上げ面となる。
【００１３】
この特許文献１の発明によれば、型成形（キャスト）などによる比較的大まかな凹凸形状のデザイン指輪等の装身具に更に、ダイヤモンドカットによるきめの細かなカット装飾を施すことにより、この凹凸形状のデザインとダイヤモンドカットによるデザインがミックスして図１０、１１に示すように斬新なデザイン指輪等が得られる。
【００１４】
しかも、このダイヤモンドカットは谷部の傾斜面に施すものであり、ダイヤモンドバイトの刃が谷部である凹部に入り、上手くカットすることができるとともに、谷部の底の線をガイドとして刃を移動させていくので、勘に頼らない正確なデザインカットが得られる。
【発明の概要】
【発明が解決しようとする課題】
【００１５】
しかし、前記特許文献１の発明により製造された装身具は、時間の経過が長くなるとダイヤモンドカットによるきめの細かなカット装飾面が擦れなどを原因として、摩耗して輝きを失ってしまうおそれがあった。この摩耗した部分は逆に汚くなることもある。指輪の場合は、常時装着しているものであり、お勝手仕事などが摩耗の大きな原因である。
【００１６】
本発明の目的は前記従来例の不都合を解消し、型成形（キャスト）などによる比較的大まかな凹凸形状のデザイン指輪等の装身具に更に、ダイヤモンドカットによるきめの細かなカット装飾を施すことにより、この凹凸形状のデザインとダイヤモンドカットによるデザインがミックスして斬新なデザイン指輪等が得られるだけでなく、長時間経過しても摩耗により輝きを失うことがない装身具が得られる装身具の装飾方法を提供することにある。
【課題を解決するための手段】
【００１７】
前記目的を達成するため請求項１記載の本発明は、貴金属指輪、貴金属ペンダント、貴金属ブレスレット等の装身具の表面に凹凸の装飾用デザインを施す場合において、これら指輪等の地金は山部および谷部を形成し、ダイヤモンドバイトはその刃は谷部である凹部に入るようにし、谷部の底の線をガイドとして谷部に沿ってダイヤモンドバイトの刃を動かして、該谷部の傾斜面をダイヤモンドバイトの刃で切削する装身具の装飾方法において、谷部の底の線をガイドとして谷部に沿ってダイヤモンドバイトの刃を動かして、該谷部の傾斜面のうち、上部の面を残して谷部の底近くの面のみをダイヤモンドバイトの刃で切削し、ダイヤモンドバイトの刃で切削した面は切削後が段になった仕上げ面であり、谷部の傾斜面のうち、切削されずに残された上部の面は鏡面としてこの段になった仕上げ面での反射を写し出すことを要旨とするものである。
【００１８】
請求項１記載の本発明によれば、谷部の傾斜面のうち、上部の面を残して谷部の底近くの面のみをダイヤモンドバイトの刃で切削するので、この残した上部の面がガードル、いわゆる保護部分となって、谷部の底近くの段になった綺麗な仕上げ面は傷が付きにくく、摩耗することがない。その結果、輝きを失わないものとなる。
【００１９】
また、切削されずに残された上部の面は鏡面としてあるので、ここで段になった綺麗な仕上げ面からの反射を写してより輝きを増すことができる。
【発明の効果】
【００２０】
以上述べたように本発明の装身具の装飾方法は、型成形（キャスト）などによる比較的大まかな凹凸形状のデザイン指輪等の装身具に更に、ダイヤモンドカットによるきめの細かなカット装飾を施すことにより、この凹凸形状のデザインとダイヤモンドカットによるデザインがミックスして斬新なデザイン指輪等が得られるだけでなく、長時間経過しても摩耗により輝きを失うことがない装身具が得られるものである。
【発明を実施するための形態】
【００２１】
以下、図面について本発明の実施例を詳細に説明する。図１、図２は本発明の装身具の装飾方法の１実施例を示す各工程を示す縦断正面図、図３は本発明方法で製作した指輪の一例を示す正面図、図５はその部分拡大正面図で、前記従来例を示す図６〜図９と同一構成要素には同一参照符号を付したものである。
【００２２】
ゴールド等の貴金属製の指輪４は型成形（キャスト）などにより、指輪の地金は山部５および谷部６を形成して比較的大まかな凹凸形状のデザインを施している。なお、この凹凸形状のデザインについては、指輪４の全周でもよいし、前側の一部のみでもまたそれ以外でもよく、特に限定はない。
【００２３】
このような指輪４にダイヤモンドバイト２でダイヤモンドカットを施すが、その場合、図２に示すように前記谷部６に沿ってダイヤモンドバイト２の刃２ａを動かして、該谷部６の傾斜面６ａをダイヤモンドバイト２の刃２ａで切削するようにした。
【００２４】
前記ダイヤモンドバイト２はその刃２ａは谷部６である凹部に入り込み、谷部６の底の線をガイドとして刃２ａを移動させていく。このようにすれば、谷部６が曲線で連続していてもこの谷部６の底の線を目で追うことにより、勘に頼らず正確に刃２ａを動かすことができる。
【００２５】
この場合、前記谷部６の傾斜面６ａのうち、上部の面９を残して谷部６の底近くの面のみをダイヤモンドバイト２の刃２ａで切削することとする。
【００２６】
製作された指輪４は、図３、図４に示すように前記図２での谷部６の傾斜面６ａには上部の面９を残して谷部６の底近くの面のみダイヤモンドバイト２によるダイヤモンドカット面７が施され、このダイヤモンドカット面７は、刃２ａを少しずつ動かしていくので、図示のごとく切削後が段になった綺麗な仕上げ面となる。
【００２７】
また、谷部６の傾斜面のうち、切削されずに残された上部の面９は鏡面としておけば、ダイヤモンドバイト２の刃で切削した面で、切削後に段になった綺麗なダイヤモンドカット面７での反射を写し出しさせるようにすることができる。
【００２８】
ただし、この鏡面として残した上部の面９は使用時間の経過とともに摩耗して輝きを失うこともあるが、その場合でも段になった綺麗なダイヤモンドカット面７は残る。
【００２９】
さらに、図示のごとく、山部５が二つ並ぶとすると、中央の谷部６の谷部６の底近くの面を切削し、次いで、左端の谷部６の傾斜面６ａを切削し、さらに右端の谷部６の傾斜面６ａを切削することもできる。なお、このような複数の谷部６が有る場合のどの谷部６を切削するかは自由に選定してよい。
【００３０】
図５は、本発明の応用例を示すもので、指輪４にダイヤモンド８等の宝石を埋め込み、その周囲を前記のごとくカットすることにより、ダイヤモンドカット面７でこの宝石を引き立てることもできる。
【００３１】
なお、以上の実施例は指輪の場合について述べたが、貴金属ペンダント、貴金属ブレスレット等の他の装身具についても同様の手法を施すことができる。
【図面の簡単な説明】
【００３２】
【図１】本発明の装身具の装飾方法の１実施例を示す第１工程の縦断正面図である。
【図２】本発明の装身具の装飾方法の１実施例を示す第２工程の縦断正面図である。
【図３】本発明方法で製作された指輪の正面図である。
【図４】本発明方法で製作された指輪の部分拡大正面図である。
【図５】本発明方法で製作された指輪の他例を示す正面図である。
【図６】従来例の装身具の装飾方法の１実施例を示す第１工程の縦断正面図である。
【図７】従来例の装身具の装飾方法の１実施例を示す第２工程の縦断正面図である。
【図８】従来例の装身具の装飾方法の１実施例を示す第３工程の縦断正面図である。
【図９】従来例の装身具の装飾方法の１実施例を示す第４工程の縦断正面図である。
【図１０】従来例の方法で製作された指輪の正面図である。
【図１１】従来例の方法で製作された指輪の他例を示す正面図である。
【図１２】一般例を示す縦断正面図である。
【符号の説明】
【００３３】
１…指輪
２…ダイヤモンドバイト
２ａ…刃
３…カット溝
４…指輪
５…山部
６…谷部
６ａ…傾斜面
７…カット面
８…ダイヤモンド
９…上部の面
【図１】
0005901683.tif 000002
【図２】
0005901683.tif 000003
【図３】
0005901683.tif 000004
【図４】
0005901683.tif 000005
【図５】
0005901683.tif 000006
【図６】
0005901683.tif 000007
【図７】
0005901683.tif 000008
【図８】
0005901683.tif 000009
【図９】
0005901683.tif 000010
【図１０】
0005901683.tif 000011
【図１１】
0005901683.tif 000012
【図１２】
0005901683.tif 000013